(57)【要約】【課題】インタビュー等において相手方の音声を収録できると同時に、当該相手方の顔も確実に撮影すること。【解決手段】マイクボディ１２と、音声を収音するマイクロフォン１４と、人物を撮影可能なカメラと、を備えるカメラ付きマイクロフォン１０において、カメラを、広視野映像の撮影が可能な広角カメラ１６とし、かつ広角カメラ１６の被写体撮影視野角を１００度〜２６０度の範囲内とすること。【選択図】  図２
2007189417.tif 000002
【特許請求の範囲】
【請求項１】
マイクボディと、音声を収音するマイクロフォンと、人物を撮影可能なカメラと、を備えるカメラ付きマイクロフォンにおいて、
上記カメラを、広視野映像の撮影が可能な広角カメラとし、かつ上記広角カメラの被写体撮影視野角を１００度〜２６０度の範囲内とすることができるようにしたことを特徴とするカメラ付きマイクロフォン。
【請求項２】
前記マイクボディは、長尺状とされ、その一方の側に前記マイクロフォンおよび前記広角カメラが配設されていることを特徴とする請求項１記載のカメラ付きマイクロフォン。
【請求項３】
前記マイクロフォンと前記広角カメラは、それらの先端部が前記マイクボディの先端面に並設されていることを特徴とする請求項１または２記載のカメラ付きマイクロフォン。
【請求項４】
前記広角カメラの先端部は、前記マイクボディにおける先端面と後端面との間に形成される側面に配設されていると共に、そのレンズ面が上記側面に平行または平行から３０度以内の範囲でずれて配設されていることを特徴とする請求項１または２記載のカメラ付きマイクロフォン。
【請求項５】
前記マイクボディの先端側の側面に前記広角カメラで撮影される画像を表示するモニタを設け、後端側は手で把持するための把持部となっていることを特徴とする請求項１から４のいずれか１項記載のカメラ付きマイクロフォン。
【請求項６】
前記広角カメラは、その撮影方向が変更可能となるように前記カメラボディに取り付けられていることを特徴とする請求項１から５のいずれか１項記載のカメラ付きマイクロフォン。
【請求項７】
前記マイクボディは、円筒状または角筒状とされ、そのマイクボディから突出することなく前記広角カメラが取り付けられていることを特徴とする請求項１から６のいずれか１項記載のカメラ付きマイクロフォン。
【発明の詳細な説明】
【技術分野】
【０００１】
本発明は、カメラ付きマイクロフォンに関する。
【背景技術】
【０００２】
従来から、被写体の影像を撮影するためのカメラを備えたカメラ付きマイクロフォンが存在する。このようなカメラ付きマイクフォンとしては、例えば、特許文献１に開示されているものが知られている。特許文献１に開示されているカメラ付きマイクロホンでは、音声を捕えるマイクロホン本体の後部に該マイクロフホン本体を持つ人の影像を撮影するためのカメラが取り付けられている。
【０００３】
【特許文献１】特開平６−２１７３８８号公報（図１）
【発明の開示】
【発明が解決しようとする課題】
【０００４】
しかしながら特許文献１に開示されているカメラ付きマイクロホンでは、カメラは、マイクロホン本体の後部に取り付けられており、かつ当該カメラはマイクロホン本体の先端側に向いている。そのため、カメラによって撮影できる視野の範囲は２５度程度と狭くなっている。これは、カメラ自体の視野角が５０度程度であるのに加え、下半分はマイクロホンでじゃまされているためである。このため、当該マイクロホン本体を持つ人しか被写体として撮影することができず、しかも顔の下の方が欠けてしまうといった問題を有する。
【０００５】
本発明は上記の事情にもとづきなされたもので、その目的とするところは、インタビュー等において相手方の音声の収録と共に、当該相手方の顔全体の映像も完全に撮影することができるカメラ付きマイクロフォンを提供しようとするものである。
【課題を解決するための手段】
【０００６】
上記課題を解決するために、本発明は、マイクボディと、音声を収音するマイクロフォンと、人物を撮影可能なカメラと、を備えるカメラ付きマイクロフォンにおいて、カメラを、広視野映像の撮影が可能な広角カメラとし、かつ広角カメラの被写体撮影視野角を１００度〜２６０度の範囲内としたものである。
【０００７】
このような構成のカメラ付きマイクロフォンでは、音声を発している人物の声と共に、その人物の顔全体を確実に撮影することが可能となる。このため、被写体となる人物の動きに気をとられることなく、当該カメラ付きマイクロフォンを用いてインタビューを行うことができる。また、被写体撮影視野角を大きくする人物の顔ばかりか、その周囲の風景も確実に映像化でき、証拠収集の面、画像選択の面で有利となる。このため、このカメラ付きマイクロフォンを例えば報道取材等に用いた場合、カメラマンを必要とすることがなくなり、その結果、少ない人手で取材等を行うことが可能となる。したがって、取材等に必要なコストの削減を図ることができる。
【０００８】
また、他の発明は、上述の発明に加えて更に、マイクボディは、長尺状とされ、その一方の側にマイクロフォンおよび広角カメラが配設されているものである。このように構成した場合には、マイクロフォンおよび広角カメラが同じ側に配設されているため、音声を収音する相手方にカメラを向けてその相手方の顔等を撮影することが容易となる。
【０００９】
また、他の発明は、上述の発明に加えて更に、マイクロフォンと広角カメラはそれらの先端部が、マイクボディの先端面に並設されているものである。
【００１０】
このように構成した場合には、マイクロフォンがマイクボディの一方の先端面、例えば上方面に位置した状態で相手方の音声を収音し、かつ撮影できることとなる。しかも、マイクロフォンが広角カメラの上側にくるようにしてカメラ付きマイクロフォンを持つと、マイクロフォンによって広角レンズに入射する余分な光を遮ることができる。この場合、当該広角レンズに入射する光量を適切なものとすることができ、過度な光が当該広角レンズに入射するのを防止できる。その結果、撮影された被写体の影像を明瞭なものとすることができる。
【００１１】
さらに、他の発明は、広角カメラの先端部は、マイクボディにおける先端面と後端面との間に形成される側面に配設されていると共に、そのレンズ面が側面に平行または平行から３０度以内の範囲でずれて配設されているものである。
【００１２】
このように構成した場合には、広角カメラの先端部がマイクボディの側面に配設されているため、カメラ付きマイクロフォンの側面側から被写体を撮影することができる。そのため、視野を遮るものが無いように容易に構成でき、撮影視野角を大きくすることが可能となる。
【００１３】
また、他の発明は、上述の発明に加えて更に、マイクボディの先端側の側面に広角カメラで撮影される画像を表示するモニタを設け、後端側は手で把持するための把持部となっている。このように構成した場合には、使用者は当該カメラ付きマイクロフォンを手に把持してインタビュー等の取材を行うことが可能となる。また、モニタが設けられているため、モニタの画面で被写体の位置を確認しながらインタビュー等を行える。したがって、当該カメラ付きマイクロフォンの使い勝手が良いものとなると同時に、被写体の影像も確実に捕えることが可能となる。
【００１４】
また、他の発明は、上述の発明に加えて更に、広角カメラは、その撮影方向が変更可能となるようにカメラボディに取り付けられているものである。このように構成した場合には、音声を収音する相手方の位置に合わせて広角カメラの方向を変えることができるため、より確実に相手方の顔全体等、必要とする映像を撮影することが可能となる。
【００１５】
また、他の発明は、上述の発明に加えて更に、マイクボディは、円筒状または角筒状とされ、そのマイクボディから突出することなく広角カメラが取り付けられているものである。このように構成した場合には、通常のマイクロフォンの形状とあまり異ならないため、インタビューを受ける者は撮影されていることを意識しない。よって、インタビューを受ける者のありのままの姿や自然な姿の映像を得ることができる。
【発明の効果】
【００１６】
本発明によると、インタビュー等において相手方の音声を収録できると同時に、当該相手方の顔全体の映像も完全に撮影することができる。
【発明を実施するための最良の形態】
【００１７】
（第１の実施の形態）
以下、本発明の第１の実施の形態に係るカメラ付きマイクロフォン１０について、図面を参照しながら説明する。なお、以下の説明において、長尺状のマイクボディ１２においてマイクロフォン１４が配設されている前半分側を先端側といい、マイクボディ１２において把持部１２ｂが形成されている後半分側を後端側というものとする。
【００１８】
図１は、カメラ付きマイクロフォン１０の斜視図である。図２は、カメラ付きマイクロフォン１０の内部構成の概要（配線等の詳細は省略）を示す概略断面図である。図３は、カメラ付きマイクロフォン１０の正面図である。図４は、首振り手段１８の要部構成を示す斜視図である。
【００１９】
このカメラ付きマイクロフォン１０は、報道取材や突撃取材等のインタビューにおいて主に使用されるが、一般の人物や風景等の音声の収録や撮影にも使用できる。図１および図２に示すように、カメラ付きマイクロフォン１０は、筐体となるマイクボディ１２と、音声を収音するマイクロフォン１４と、広視野に渡って被写体を撮影可能な広角カメラ１６と、表示部となるモニタ１９と、収音した音声と撮影した影像を記憶するメモリ２０と、電源となるバッテリ２２と、から主に構成されている。なお、この実施の形態の広角カメラ１６の図２に示す状態での被写体撮影視野角αは、１２０度とされている。
【００２０】
マイクボディ１２は、カメラ付きマイクロフォン１０の筐体となる円筒形状を有する部材であり、大径の円筒形状をした大径部１２ａと、小径の円筒形状をした把持部１２ｂとを有している。図１において大径部１２ａにおける左側（先端側）の開口部は、レンズカバー１２ｃ（マイクボディ１２の一部）によって塞がれている。レンズカバー１２ｃは光を透過することが可能な円板状をした樹脂部材である。把持部１２ｂは、カメラ付きマイクロフォン１０の使用者が手によって把持する部分である。また、大径部１２ａの後端側と把持部１２ｂの先端側とは、先端側から後端側に向かって徐々に小径となる連結部１２ｄによって連結されている。また、把持部１２ｂの後端部には開閉可能なバッテリカバー１２ｆが取り付けられている。
【００２１】
マイクロフォン１４は、インタビュー等の相手方が発した音声を取り込むためのものであり、図１に示すようにその先端部の外形は角柱形状を有している。また、マイクロフォン１４は、マイクボディ１２に対して偏心した位置に配設されていると共に、その先端面はレンズカバー１２ｃの先端面と同一面となるように配設されている。具体的には、マイクロフォン１４は、図３に示すように、広角カメラ１６が配設されている位置よりも上方に位置するように、かつマイクボディ１２（大径部１２ａ）の中心軸Ｍに対してその中心が偏心するようにレンズカバー１２ｃに固定されている。
【００２２】
広角カメラ１６は、広角レンズ１６ａと、イメージセンサとなる撮像素子１６ｂと、略立方体の箱型形状をしたカメラボックス１６ｃと、を有している。図２および図４に示すように、広角カメラ１６の先端部となる広角レンズ１６ａは、レンズ保持部１６ｇに保持されている。また、広角レンズ１６ａは、カメラボックス１６ｃにおける先端側に位置するように、当該カメラボックス１６ｃの内部に配置されている。一方、撮像素子１６ｂは、カメラボックス１６ｃの内部に配置されている。また、広角カメラ１６は、広角レンズ１６ａが先端側に位置するように大径部１２ａによって形成される内部空間に配置されている。具体的には、図２に示すように、広角カメラ１６は、点Ａを中心に矢示Ｂ１−Ｂ２方向に回動（首振り）可能となるように後述する首振り手段１８によってマイクボディ１２に支持されている。また、広角カメラ１６は、広角レンズ１６ａが先端側に向かって正面を向いたとき、当該広角レンズ１６ａの光軸Ｌと大径部１２ａの中心軸線Ｍとがずれ、光軸Ｌが偏心するように、カメラボディ１２に支持されている。
【００２３】
首振り手段１８は、図４に示すように、回動軸１８ａと、小径ギヤ１８ｂと、大径ギヤ１８ｃと、操作軸１８ｄと、操作子１８ｅと、から構成されている。回動軸１８ａは、断面円形状の軸部材であり、カメラボックス１６ｃを構成する２つの対向する側面１６ｅ，１６ｅから外方に向かって突出するように設けられている。また、一方の回動軸１８ａには、外周に歯部を有する円板状の小径ギヤ１８ｂが固定されている。大径ギヤ１８ｃは、小径ギヤ１８ｂより大径の円板形状を有しており、その外周には歯部が形成されている。操作軸１８ｄは、断面円形状をした軸部材であり、その一端は大径ギヤ１８ｃの中央に固定されており、その他端は棒状をした操作子１８ｅに固定されている。
【００２４】
回動軸１８ａ，１８ａの先端１８ｆ，１８ｆはマイクボディ１２に回動可能に軸支されている。この先端１８ｆ，１８ｆは、マイクボディ１２の内面に形成された凹部に係合しているため、外部からはその先端部１８ｆ，１８ｆは見えないが、貫通孔に嵌め込むようにしても良い。また、操作軸１８ｄは、マイクボディ１２に形成された不図示の孔に挿通されている。そして、この状態で小径ギヤ１８ｂに形成された歯部と大径ギヤ１８ｃに形成された歯部とが噛み合っている。したがって、使用者が操作子１８ｅを周方向に回動させると、操作軸１８ｄを中心として大径ギヤ１８ｃが回転する。そして、その力が歯部を介して小径ギヤ１８ｂに伝達され、小径ギヤ１８ｂが回転する。すると、回動軸１８ａが回転し、それと一体となって広角カメラ１６が揺動する。このため、操作子１８ｅを周方向に回動させると、広角カメラ１６は回動軸１８ａを中心として（図２における点Ａを中心として）揺動することとなる。
【００２５】
広角レンズ１６ａは、その入射側となる前面が通常の凸レンズ程度のふくらみとなっており、平面に近いものとなっている。しかし、レンズ内部のガラス処理に工夫を施し、広角レンズ１６ａの視野角は光軸に対して全周に亘って９０度、すなわち１８０度の視野角（＝画角）を有しており、かつ光軸Ｌ周りの全周囲、すなわち３６０度の全周囲影像が撮影可能となっている。
【００２６】
撮像素子１６ｂは、ＣＭＯＳイメージセンサで形成されており、広角レンズ１６ａを通過した光を電気信号に変換する。なお、撮像素子１６ｂは、ＣＭＯＳセンサに限ることなく、ＣＣＤセンサや他の撮像素子を用いても良い。
【００２７】
モニタ１９は、液晶ディスプレイ（ＬＣＤ）を備えた表示部であり、図１および図２における連結部１２ｄの上方に配置されている。また、モニタ１９には、カメラ付きマイクロフォン１０の電源のＯＮ・ＯＦＦを切り替えるための電源スイッチ（不図示）が設けられている。また、モニタ１９には、該モニタ１９に表示される映像のＯＮ・ＯＦＦを切り替えるための映像用スイッチ（不図示）も設けられている。モニタ１９には、広角カメラ１６によって撮影されている影像の映像信号が再生処理されて送信される。そして、再生処理された映像がモニタ１９に映し出される。このように、モニタ１９には、広角カメラ１６によって現在撮影されている被写体が映し出される。
【００２８】
メモリ２０は、マイクロフォン１４で収音された音声の音声データと広角カメラ１６によって撮影された映像の映像データとが結合した音声映像データを保存する部分である。また、メモリ２０は、カメラ付きマイクロフォン１０から取り出し可能になっているため、メモリ２０に保存されたデータを他の記憶媒体に容易に書き写すことが可能であると共に、他の再生装置によってメモリ２０に記憶された音声と映像を再生することも可能である。図１および図２に示すように、メモリ２０の上方にはＵＳＢ（Univereal Serial Bus）端子が入るＵＳＢ端子部２１が設けられており、ノートパソコンなどのコンピュータとＵＳＢ接続が可能となっている。したがって、メモリ２０をカメラ付きマイクロフォン１０から取り出さなくてもコンピュータとの間でデータの送受信が可能である。
【００２９】
電源となるバッテリ２２は、リチウムイオン電池であり、把持部１２ｂの内部に収納されている。また、バッテリカバー１２ｆを開閉することで、バッテリ２２の着脱ができるようになっている。
【００３０】
次に、カメラ付きマイクロフォン１０の信号処理システム３０の動作について説明する。
【００３１】
図５は、信号処理システム３０のブロック図である。また、図６は、広角カメラ１６で撮影される広視野映像の一例とモニタ１９で表示される画像例を示す図である。
【００３２】
信号処理システム３０は、上述したメモリ２０と、音声データ生成部３３と、音声データ保存部３４と、映像データ生成部３５と、映像データ保存部３６と、音声映像データ生成部３７と、映像処理部３８と、制御部３９と、から主に構成されている。
【００３３】
音声データ生成部３３は、マイクロフォン１４で受信された音声信号にデジタル信号処理を施して音声データを生成する部分である。音声データ保存部３４は、音声データ生成部３３で生成された音声データを保存する部分である。映像データ生成部は３５、広角カメラ１６で得られた映像信号にデジタル信号処理を施して映像データを生成する部分である。映像データ保存部３６は、映像データを保存する部分である。音声映像データ生成部３７は、音声データ保存部３４および映像データ保存部３６のそれぞれから映像データとそれに対応する音声データを抽出し、かつ抽出された両データを結合して音声映像データを生成する部分である。映像処理部３８は、モニタ１９に映像を表示するための再生用の信号とするために映像信号の再生処理を行う部分である。制御部３９は、音声データ作成部３３、音声データ保存部３４、映像データ作成部３５、映像データ保存部３６および音声映像データ作成部３７における動作を制御する部分である。
【００３４】
次に、カメラ付きマイクロフォン１０の信号処理システム３０の動作について説明する。
【００３５】
マイクロフォン１４により生成された音声信号は音声データ生成部３３に入力される。そして、音声データ生成部３３に入力された音声信号は、当該音声データ生成部３３においてデジタル信号に変換される。このデジタル信号への変換により音声データが生成される。そして、当該音声データは、映像データと共に音声映像データ生成部３７に入力される。これら一連の処理は、制御部３９からの制御信号に基づいて行われる。
【００３６】
一方、広角カメラ１６では、広角レンズ１６ａを通過した光を撮像素子１６ｂが検出し、当該撮像素子１６ｂからの信号が広視野映像化された映像信号に変換される。この広視野映像は、例えば、図６（Ａ）に示すような円形な映像で、円形外周に行けば行く程、歪んだ画像となるものである。
【００３７】
広視野映像化された映像信号は、広角カメラ１６から出力され、映像データ生成部３５および映像処理部３８に入力される。そして、映像データ生成部３５に入力された映像信号は、当該映像データ生成部３５においてデジタル信号に変換される。このデジタル信号への変換により生成された映像データは、音声データと共に音声映像データ生成部３７に入力される。一方、映像処理部３８に入力された映像信号は、当該映像処理部で再生用の信号に再生処理された後、モニタ１９に出力される。そして、モニタ１９に入力された映像信号は、モニタ１９の画面に表示される。これら一連の処理は、制御部３９からの制御信号に基づいて行われる。モニタ１９の画面１９ａは、例えば、上下の２つの画面３２，３３に分けられる。各画面３２，３３は、共に歪みが補正された通常の画像を表示する画面となっている。
【００３８】
音声データ保存部３４および映像データ保存部３６のそれぞれに保存されている音声データおよび映像データは、音声映像データ生成部３７により映像データと音声データのそれぞれが互いに対応するように抽出される。そして、抽出された両データは、該音声映像データ生成部３７で結合され音声映像データとなる。さらに、当該音声映像データは、メモリ２０に出力され、メモリ２０に格納される。
【００３９】
以上のようにして構成されたカメラ付きマイクロフォン１０は、マイクロフォン１４と１８０度の広視野映像を撮影可能な広角カメラ１６との双方を備えている。しかも、この広角カメラ１６を揺動して撮影可能な被写体撮影視野角は小さいときでも９０度で、大きいときは１５０度となる。このため、このカメラ付きマイクロフォン１０を第三者へのインタビューに採用すると、インタビューをした相手方の音声の収録と顔映像の撮影を同時に行うことが可能となると共に、相手方の周囲を確実に撮影できる。また、人物の顔ばかりか、その周囲の風景も確実に映像化できるため、証拠収集の面、放映する画像選択の面で有利となる。したがって、カメラ付きマイクロフォン１０を報道取材等に用いた場合、カメラマンを必要とすることがなくなり、その結果、少ない人手で取材等を行うことが可能となる。そのため、取材に必要なコストの削減を図ることができる。
【００４０】
また、カメラ付きマイクロフォン１０では、その先端側にマイクロフォン１４と広角カメラ１６がマイクボディ１２の先端面に並んで配設されている。したがって、インタビュー等を行う場合、カメラ付きマイクロフォン１０が向けられた相手方の音声と被写体を確実に捕えることができる。また、マイクロフォン１４がマイクボディ１２の上方に位置した状態、すなわち、マイクロフォン１４が広角カメラ１６の上方に位置する状態で相手方の音声を収音する場合、マイクロフォン１４によって広角カメラ１６の広角レンズ１６ａに入射する余分な光を遮ることができる。このため、当該広角レンズ１６ａに入射する光量を適切なものとすることができ、過度な光が当該広角レンズ１６ａに入射するのを防止できる。その結果、撮影された被写体の映像を明瞭なものとすることができる。
【００４１】
また、カメラ付きマイクロフォン１０では、マイクボディ１２の後端側は手で把持するための把持部１２ｂとなっている。このため、使用者は当該カメラ付きマイクロフォン１０を手に把持してインタビュー等の取材を行うことが可能となる。したがって、当該カメラ付きマイクロフォン１０の使い勝手が良いものとなる。
【００４２】
また、カメラ付きマイクロフォン１０では、広角カメラ１６は、首振り手段１８によって、カメラボディ１２に回動（首振り）自在に支持されている。このため、音声を収音する相手方の位置に合わせて広角カメラ１６の方向を変えることができる。したがって、さらに広視野の影像をより確実に撮影することが可能となる。
【００４３】
また、カメラ付きマイクロフォン１０では、モニタ１９が備えつけられている。このため、カメラ付きマイクロフォン１０の使用者は、モニタ１９によって常に相手方の位置を確認しながらインタビュー等を進めることが可能となる。
【００４４】
（第２の実施の形態）
次に、本発明の第２の実施の形態に係るカメラ付きマイクロフォン４０について、図面を参照しながら説明する。なお、第２の実施の形態に係るカメラ付きマイクロフォン４０において、第１の実施の形態と同一の部材、同一の部分には同一の符号を付すと共にその説明を省略または簡略化する。なお、第２の実施の形態では、マイクボディ４２の形状、マイクボディ４２に対するマイクロフォン１４および広角カメラ１６の位置関係のみが異なるため、その相違部分について述べる。また、以下の説明において、図７中に示す矢示Ｘ１方向を前方、矢示Ｘ２方向を後方、矢示Ｙ１方向を左側、矢示Ｙ２を右側、矢示Ｚ１方向を先端側および矢示Ｚ２方向を後端側と規定する。
【００４５】
図７は、カメラ付きマイクロフォン４０の構成を示す図であり、（ａ）はその斜視図であり、（ｂ）は、（ａ）において矢示Ｃ方向から見た場合の側面図である。
【００４６】
このカメラ付きマイクロフォン４０は、第１の実施の形態の場合と同様、報道取材や突撃取材等のインタビューにおいて主に使用されるが、使用態様としては、使用者（インタビューする人）の体に装着して使用いられる。図７（Ａ）および図７（Ｂ）に示すように、カメラ付きマイクロフォン４０は、筐体となるマイクボディ４２と、音声を収音するマイクロフォン１４と、広視野に渡って被写体を撮影可能な広角カメラ１６と、首振り手段１８と、保持用ピン４４と、から主に構成されている。
【００４７】
マイクボディ４２は、カメラ付きマイクロフォン４０の筐体であり、略直方体の形状をしている。また、マイクボディ４２の前面４２ａの上方、かつ左右方向の中央には円孔４２ｂが形成されている。マイクロフォン１４は、インタビュー等における相手方（インタビューされる人）が発した音声を取り込むためのものであり、図７（Ａ）に示すように、マイクボディ４２の右側上方に取り付けられている。
【００４８】
広角カメラ１６は、第１の実施の形態の場合と同様な構成となっており、広角レンズ１６ａと、イメージセンサとなる撮像素子１６ｂと、略立方体の箱型形状をしたカメラボックス１６ｃと、を有している。広角カメラ１６は、図７に示すように、広角レンズ１６ａおよびそのレンズ保持部１６ｇが円孔４２ｂから前方に向かってわずかに突出するように、マイクボディ４２の内部に配置されている。構成としては、広角レンズ１６ａのみを円孔４２ｂから突出させるのが好ましいが、この実施の形態では、レンズ保持部１６ｇも一部突出している。この広角カメラ１６は、第１の実施の形態の場合と同様、首振り手段１８を用いてマイクボディ４２の内部に回動自在に支持されている。また、レンズ保持部１６ｇの外周面と円孔４２ｂの内周面との間には隙間４２ｃが形成されており、当該隙間４２ｃには弾性部材４５が配置されている。このため、首振り手段１８の操作子１８ｅを移動させると、弾性部材４５が伸縮することで、レンズ保持部１６ｇは、隙間４２ｃの間を上下方向に回動可能となる。また、弾性部材４５が配置されているため、隙間４２ｃからゴミやほこり等がマイクボディ４２の内部に流入することがなくなる。
【００４９】
また、図７（Ａ）に示すように、マイクボディ４２の後面４２ｄの上方には、保持用ピン４４が取り付けられている。保持用ピン４４は、当該上方から下方に向かって伸びている。使用者は、この保持用ピン４４を用いてカメラ付きマイクロフォン４０をシャツの胸ポケット等に装着すると共に、首振り手段１８を用いて広角カメラ１６をインタビュー等をする相手方の方向に傾けて音声の収録および撮影を行う。さらに、電源のＯＮ・ＯＦＦを行う電源スイッチ４７が右側面４２ｅに設けられている。
【００５０】
以上のようにして構成されたカメラ付きマイクロフォン４０では、広角カメラ１６はマイクボディ４２における前面４２ａに配設されると共に、後面４２ｄには、保持用ピン４４が設けられている。したがって、保持用ピン４４によりカメラ付きマイクロフォン４０を使用者の体等に装着した状態で、後面４２ｄと対向する面となる前面４２ａ側から被写体を撮影することができる。
【００５１】
また、カメラ付きマイクロフォン４０では、広角カメラ１６は、首振り手段１８によって、カメラボディ４２に回動（首振り）自在に支持されている。このため、音声を収音する相手方の位置に合わせて広角カメラ１６の方向を変えることができる。したがって、さらに広視野の映像が撮影可能となり、被写体を確実に捕えることが可能となる。この実施の形態では、視野を遮るものが無いため、どの揺動位置でも１８０度の被写体撮影視野角を持ち、１８０度となる広視野の映像が常に撮影可能となる。
【００５２】
以上、本発明の各実施の形態について説明したが、本発明は上述の形態に限定されることなく、種々変形した形態にて実施可能である。
【００５３】
上述の第１の実施の形態では、マイクボディ１２は、円筒形状を有した部材としたが、これに限定されることなく、外形が四角形や多角形若しくは楕円形等の他の形状をした筒状部材としても良い。
【００５４】
また、上述の各実施の形態では、使用されるマイクロフォンの数を１つとしたが、２つ以上としても良い。一方、広角カメラ１６を１つとしたが、広角カメラ１６を２つ以上の複数としたり、広角カメラ１６と通常の視野のカメラとの２つのカメラを配置したりしても良い。広角カメラ１６を複数設ける場合、各カメラの撮影範囲が一部重なるように配置するのが好ましい。
【００５５】
また、上述の各実施の形態では、広角カメラ１６は、首振り手段１８により上下方向の首振りのみが可能となっているが、首振り手段１８の構成を変えることで上下方向と左右方向の２方向の首振りができるようにしても良い。また、３６０度の任意の方向に首振りができるようにしても良い。一方、広角カメラ１６を固定することで撮影方向が変更できないようにしても良い。
【００５６】
また、上述の第１の実施の形態では、広角カメラ１６は、完全にマイクボディ１２の内部に配置されているが、第２の実施の形態の場合と同様、広角レンズ１６ａがマイクボディ１２の先端側に突出するように広角カメラを配置するようにしても良い。
【００５７】
また、上述の各実施の形態では、首振り手段１８は、小径ギヤ１８ｂと大径ギヤ１８ｃの２つのギヤを有しているが、３つ以上のギヤにより構成するようにしても良い。また、ギヤを設けることなく、回転軸１８ａに操作子１８ｅを取り付けるようにしても良い。
【００５８】
また、上述の第２の実施の形態では、モニタが設けられていないが、モニタを設けるようにしても良い。また、モニタ１９で表示される画像は、図６（Ａ）で示す歪んだ画像とのものとしても良い。また、モニタ１９の画面１９ａは、上下２分割ではなく、左右２分割としたり、全体を上下左右で分割し、４分割、６分割の画面としたりしても良い。さらに、モニタ１９に、音量値を表示させたり、時刻を表示させたり、インタビュー開始からの経過時間を表示させたりしても良い。
【００５９】
また、上述の各実施の形態において広角カメラ１６に広視野映像の一部を切り出して平面映像とするための歪み補正処理を行うイメージプロセッサを設けるようにしても良い。さらに、モニタ１９に、歪み補正された映像（例えば、図６（Ｂ）の画像）と歪み補正されない映像（例えば、図６（Ａ）の画像）の少なくとも一方を表示するようにしても良いし、両映像を表示するようにしても良い。両映像を表示できるような構成のときは、映像、たとえば歪み補正されない広視野映像を、常時、動画表示するモードと、歪み補正された広視野映像（平面映像）を表示するモードとを切り替え可能としたり、または、歪み補正されない広視野映像を表示するモードと、広視野映像の一部が拡大されて表示するモードとを切り替え可能にしたりしても良い。
【００６０】
また、上述の各実施の形態では、広角カメラ１６自体の撮影可能とされる映像は、３６０度全周囲で画角１８０度のものとなっているが、広角カメラ１６自体の撮影画角を１２０度〜２６０度のいずれかの範囲としてもよい。そして、実際の被写体撮影視野角としては、１００度以上となる設定位置が存在するようにカメラ付きマイクロフォン１０，４０を構成するのが好ましい。すなわち、この設定に当たっては、所定の揺動範囲では１００度未満となっても良いが、必ず１００度以上の被写体撮影視野角となる位置が存在するように設定する。なお、さらに好ましいのは、被写体撮影視野角が常時１００度〜２６０度の範囲内に収まることであり、最も好ましいのは、常時１４０度〜２４０度の範囲内に納めるようにすることである。
【００６１】
また、上述の第１の実施の形態では、電源スイッチ（不図示）をモニタ１９に設けたが、これに限定することなく、例えば、把持部１２ｂに設けるようにしても良い。また、イヤフォン等の差し込み口をカメラ付きマイクロフォン１０，４０に設けるようにしても良い。
【００６２】
また、メモリ２０に映像を記録するとき、映像内または映像外へ記録時または撮影時のタイムを記録できるようにしても良い。また、記録手段としてのメモリ２０としては、フラッシュメモリを採用したカード型の記憶媒体であるメモリカードとするのが好適であるが、ＣＤ−Ｒ、DVD−RAM等の光記録媒体や、ハードディスク等の磁気記録媒体としても良い。また、広角レンズ１６ａとしては、新開発の特殊なレンズを採用したが、従来の魚眼レンズや特開２００３−３０３３５号公報で開示されているレンズ、すなわち天頂部に反射面を付けたレンズなどの広角レンズとしても良い。
【図面の簡単な説明】
【００６３】
【図１】本発明の第１の実施の形態に係るカメラ付きマイクロフォンの斜視図である。
【図２】本発明の第１の実施の形態に係るカメラ付きマイクロフォンの内部構成の概要を示す概略断面図である。
【図３】本発明の第１の実施の形態に係るカメラ付きマイクロフォンの正面図である。
【図４】本発明の第１の実施の形態に係るカメラ付きマイクロフォンに用いられる首振り手段の構成を示す斜視図である。
【図５】本発明の第１の実施の形態に係るカメラ付きマイクロフォンの信号処理システムのブロック図である。
【図６】図１中の広角カメラで撮影される広視野映像の一例を示す図であり、（Ａ）は、歪み補正がされない状態の画像例で、（Ｂ）は、歪み補正がされた状態の画像例である。
【図７】本発明の第２の実施の形態に係るカメラ付きマイクロフォンの構成を示す図であり、（Ａ）はその斜視図であり、（Ｂ）は、（Ａ）において矢示Ｃ方向から見た場合の側面図である。
【符号の説明】
【００６４】
１０…カメラ付きマイクロフォン
１２…マイクボディ
１４…マイクロフォン
１６…広角カメラ
１６ａ…広角レンズ
【図１】
2007189417.tif 000003
【図２】
2007189417.tif 000004
【図３】
2007189417.tif 000005
【図４】
2007189417.tif 000006
【図５】
2007189417.tif 000007
【図６】
2007189417.tif 000008
【図７】
2007189417.tif 000009